(57)【要約】      （修正有）【課題】容器の内部により高い緩衝機能を設けた緩衝機能内蔵包装容器を提供する。【解決手段】内容物を破損から守るために緩衝機能を内蔵した緩衝機能内蔵包装容器において、外容器１０と、可撓性を有し前記外容器の断面と同面積の板状体で表面にて前記内容物を保持する保持板２１、及び前記保持板の裏面の両端部において前記外容器の内面から前記保持板を離間させる２つの脚部２２からなり、ブランク板を折り畳んで構成される紙製の緩衝部材２０と、を有し、２つの前記保持板の前記表面によって前記内容物Ａを挟持した状態で、２つの前記保持板２１が前記外容器１０の内部に収容して緩衝機能内蔵包装容器とする。【選択図】図１
0003178037.tif 000002
【実用新案登録請求の範囲】
【請求項１】
内容物を破損から守るために緩衝機能を内蔵した緩衝機能内蔵包装容器において、
外容器と、
可撓性を有し前記外容器の断面と同面積の板状体で表面にて前記内容物を保持する保持板、及び前記保持板の裏面の両端部において前記外容器の内面から前記保持板を離間させる２つの脚部からなり、ブランク板を折り畳んで構成される紙製の緩衝部材と、
を有し、
２つの前記保持板の前記表面によって前記内容物を挟持した状態で、２つの前記保持板が前記外容器の内部に収容されることを特徴とする緩衝機能内蔵包装容器。
【請求項２】
前記緩衝部材の前記脚部は、その断面において、１つの頂点が前記外容器の内面に当接し他の２つの頂点が前記保持板に固定される三角形状であることを特徴とする請求項１に記載の緩衝機能内蔵包装容器。
【請求項３】
前記緩衝部材の前記脚部はその断面が四角形状であり、且つ前記脚部の内側で前記保持板の表面側に突出する保持突起が前記内容物の端部を保持することを特徴とする請求項１に記載の緩衝機能内蔵包装容器。
【考案の詳細な説明】
【技術分野】
【０００１】
本考案は、容器内部に緩衝機能を設けた緩衝機能内蔵包装容器に関するものである。
【背景技術】
【０００２】
従来、錠剤等の破損しやすい内容物を容器に収納する場合、容器と内容物との間に発泡部材やエアーキャップなどの緩衝材を充填することで、内容物を容器外部の衝撃を緩和していた。
【０００３】
また、紙製の一体のブランク板で容器を形成し且つ、容器を組立てると、当該容器の内部方向（側壁から水平方向）に所定量だけ立ち上る立上り部が形成され、当該立上り部が内容物の両側面を挟持する構造となるものがある（例えば、特許文献１参照）。このように立上り部が紙製であると、紙が有する容易に変形する性質によって、外側からの衝撃が、立上り部にて緩衝される。このため、両側面を挟持された内容物の破損を防止することができる。
【先行技術文献】
【特許文献】
【０００４】
【特許文献１】再表２００９／０７２５５７
【考案の概要】
【考案が解決しようとする課題】
【０００５】
しかしながら、内容物を側面のみにて挟持する構成であると、上下方向の緩衝機能は付与されないため、外部から上下方向の衝撃が加わった場合に、内容物が破損するおそれがある。また、内容物が立上り部によって固定されて保持されると、緩衝機能が弱いという問題もある。更に、同じ構成のブランク板は、組立てると立上り部も所定の高さだけ立上る。このため、内容物の幅が容器ごとに異なる場合には、対応することができないという問題がある。
【０００６】
そこで本発明の目的は、より高い緩衝機能を有する容器によって、内容物の破損を防止することである。
【課題を解決するための手段】
【０００７】
上記目的を達成するための緩衝機能内蔵包装容器の第１の構成は、内容物を破損から守るために緩衝機能を内蔵した緩衝機能内蔵包装容器において、外容器と、可撓性を有し前記外容器の断面と同面積の板状体で表面にて前記内容物を保持する保持板、及び前記保持板の裏面の両端部において前記外容器の内面から前記保持板を離間させる２つの脚部からなり、ブランク板を折り畳んで構成される紙製の緩衝部材と、を有し、２つの前記保持板の前記表面によって前記内容物を挟持した状態で、２つの前記保持板が前記外容器の内部に収容されることを特徴とする緩衝機能内蔵包装容器である。
【０００８】
緩衝機能内蔵包装容器の第２の構成は、前記緩衝部材の前記脚部は、その断面において、１つの頂点が前記外容器の内面に当接し他の２つの頂点が前記保持板に固定される三角形状であることを特徴とする第１の構成に記載の緩衝機能内蔵包装容器である。
【０００９】
緩衝機能内蔵包装容器の第３の構成は、前記緩衝部材の前記脚部はその断面が四角形状であり、且つ前記脚部の内側で前記保持板の表面側に突出する保持突起が前記内容物の端部を保持することを特徴とする第１の構成に記載の緩衝機能内蔵包装容器である。
【考案の効果】
【００１０】
第１の構成のように、紙製で板状体の保持板の裏面の両端部に脚部を有することで板状体の復元性を発揮させる緩衝部材を２つ用い、当該緩衝部材を内容物の上下において挟持させることで、高い緩衝機能を発揮し、内容物の破損を防止することができる。
【００１１】
第２の構成のように、緩衝部材の脚部を断面形状で三角形状とし、当該三角形状の頂点を含む一辺のみで外容器の内面に当接する構成とすると、脚部の外容器への当接部は、横方向に移動しやすくなる。すると、保持板はより撓みやすくなるため、内容物を比較的柔らかく保持することになる。よって、高い緩衝性を有することとなる。
【００１２】
第３の構成のように、緩衝部材の脚部を断面形状で四角形状とし、脚部の内側で保持板の表面側に突出する保持突起で内容物の端部を保持することとすると、前述のように保持板による緩衝性能に加え、保持突起で内容物の端部が挟持されることによって内容物の横方向の移動を抑制し、より確実に内容物を保持することができる。
【図面の簡単な説明】
【００１３】
【図１】第１実施形態に係る緩衝機能内蔵容器の完成図。
【図２】第１実施形態に係る緩衝機能内蔵容器の分解斜視図。
【図３】第１実施形態に係る緩衝部材を組み立てる前の紙製のブランク板を示す図。
【図４】第１実施形態に係る組立工程の説明図。
【図５】第２実施形態に係る緩衝部材を組み立てる前の紙製のブランク板を示す図。
【図６】第２実施形態に係る緩衝機能内蔵容器の説明図。
【考案を実施するための形態】
【００１４】
〔第１実施形態〕
図を用いて本考案の第１実施形態を説明する。図１は第１実施形態に係る緩衝機能内蔵容器の完成図であり、（ａ）が外観斜視図、（ｂ）が（ａ）の断面図である。図２は第１実施形態に係る緩衝機能内蔵容器の分解斜視図である。
【００１５】
（緩衝機能内蔵容器の概要）
図１及び図２に示すように、緩衝機能内蔵容器１は、外容器１０と、一対の緩衝部材２０と、を有する。緩衝性のある一対の緩衝部材２０が、内容物Ａの上下を挟持することで、内容物Ａは緩衝機能内蔵容器１内に保持され、内容物Ａを破損から守る。
【００１６】
（緩衝機能内蔵容器の詳細構成）
次に、各部の詳細構成を説明する。
【００１７】
外容器１０は、図２に示すように、紙製の直方体状の箱体である。外容器１０は、容器本体１１と、容器本体１１の上縁の一辺がヒンジ辺となるように、容器本体１１と一体的に構成される蓋部１２とから構成される。容器本体１１は内容物Ａの他、２つの緩衝部材２０を収容できる程度の深さを有する。
【００１８】
外容器１０の蓋部１２を閉じると（図１（ａ）参照）、上下に緩衝部材２０から挟まれた状態で、内容物Ａが保持されることとなる（図１（ｂ）参照）。
【００１９】
図２に示すように、緩衝部材２０は、保持板２１と、保持板２１と一体的に構成される２つの脚部２２とから構成される。
【００２０】
保持板２１は、可撓性を有し外容器１０の断面（本実施形態においては水平方向断面）と略同面積の板状体である。保持板２１には表面２１Ａと裏面２１Ｂがある。内容物Ａが当接する面が表面２１Ａであり、脚部２２が形成される面が裏面２１Ｂである。
【００２１】
脚部２２は、保持板２１の裏面２１Ｂの両端部においてそれぞれ１つずつあり、合計して２つの脚部２２が保持板２１と一体的に構成される。脚部２２があることで、保持板２１は、図１（ｂ）に示す断面において、外容器１０の天面及び底面から所定の距離だけ離間する。
【００２２】
図１（ｂ）に示すように、脚部２２は、その断面が三角形状であり、断面の各辺は、保持板２１を外容器１０の内面から離間させる立上部２３、保持板２１を支持する支持部２４、保持板２１に対して固定される固定部２５を構成する。立上部２３と支持部２４との折り目によって構成され図１（ｂ）の断面における頂点Ｂは、外容器１０の内面に当接する。
【００２３】
（緩衝部材の構造）
次に、緩衝部材２０の製造過程からその構造を説明する。図３は第１実施形態に係る緩衝部材を組み立てる前の紙製のブランク板を示す図である。図４は第１実施形態に係る組立工程の説明図である。
【００２４】
緩衝部材２０は、図３に示す１枚のブランク板から成り、当該ブランク板を折り畳んで構成される。
【００２５】
図３に示すように、緩衝部材２０の各部は、保持板２１を構成する面の両端に、立上部２３を構成する面、支持部２４を構成する面、固定部２５を構成する面が外側方向に順次隣接する。
【００２６】
保持板２１には、切込ＣがあることでヒンジＨを中心として起き上がる固定片２１ａが中央部に形成され、また、固定部２５の係止突起２５ａを係止する係止穴２１ｂが形成される。支持部２４には固定片２１ａの頂部を係止する係止突起２４ａが中央部に形成され、固定部２５との境界に切込Ｄが形成されることで、切込Ｄ周辺が変形しやすくなる。固定部２５の面の外側端部の中央には、係止突起２５ａが形成される。
【００２７】
図４に示すように、緩衝部材２０を作成する際には、ブランク板を、端部の固定部２５から順に裏面２１Ｂ側に折り返していく。
【００２８】
まず、固定部２５を折り、支持部２４を折ったところで、係止突起２５ａが係止穴２１ｂに係止される（図４（ａ）参照）。これは、係止穴２１ｂの幅と係止突起２５ａの幅とが同一に形成されるからである。尚、ここでいう「幅」は折り進めていく方向と直交する方向の幅である。
【００２９】
図４（ａ）のように固定片２１ａを起こした状態で、ブランク板の端部を折り進めていくと、支持部２４の面の上に固定片２１ａが被さり、且つ支持部２４に形成された係止突起２４ａが固定片２１ａの先端を係止する（図４（ｂ）参照）。これにより、片方の脚部２２が完成する。もう一方も同様に構成することで、保持板２１の裏面２１Ｂ側に二つの脚部２２が完成することになる。
【００３０】
このように折り畳んで構成された緩衝部材２０は、図１（ｂ）及び図２に示すように、内容物Ａを保持板２１にて挟持するように外容器１０内に収容される。
【００３１】
図１（ｂ）に示すように、保持板２１は板状の紙であるため、保持板２１の中央部が内容物Ａの形状に合わせて容易に変形する。このため、内容物Ａに圧力をかけずに保持することができる。
【００３２】
また、保持板２１は紙製で且つ両端部を脚部２２にて固定されているため、復元力による弾性を有する。このため、緩衝機能内蔵容器１の外部からの衝撃があったとしても、保持板２１が振動しつつ衝撃を吸収する。このため、緩衝部材２０に挟持された内容物Ａには、大きな衝撃が伝わることがなく、高い緩衝機能を発揮し、内容物の破損を防止することができる。
【００３３】
また、脚部２２の断面形状が１つの頂点Ｂが外容器１０の内面に当接し、他の２つの頂点が保持板２１に固定される三角形状である。このように、緩衝部材２０は、頂点Ｂを含む一辺のみで外容器１０の内面に当接するため、脚部２２の外容器１０への当接部は、図１（ｂ）の横方向に移動しやすくなる。すると、保持板２１は撓みやすくなるため、内容物Ａを比較的柔らかく保持することになる。よって、高い緩衝性を有する。また、撓みやすい保持板２１全体で内容物Ａを保持するため、内容物Ａを確実に保持することができる。
【００３４】
〔第２実施形態〕
図を用いて本考案の第２実施形態を説明する。前述と同様の構成については同符号を付すことで説明を省略する。
【００３５】
本実施形態の緩衝機能内蔵容器２は、保持板３１の両端部を断面四角形の脚部３２が構成される緩衝部材３０によって、内容物Ａを挟持する。緩衝機能内蔵容器２に収容される緩衝部材３０は、図５に示す１枚のブランク板から成り、当該ブランク板を折り畳んで構成される。図５は第２実施形態に係る緩衝部材を組み立てる前の紙製のブランク板を示す図である。
【００３６】
図５に示すように、緩衝部材３０の各部は、保持板３１を構成する面の両端に、外側立上部３３を構成する面、底部３４を構成する面、内側立上部３５を構成する面、接着剤Ｇが配される固定部３６を構成する面が外側方向に順次隣接する。
【００３７】
保持板３１には、幅方向の中央部に穴３１ａが形成される。また、内側立上部３５の固定部３６側端部に保持突起３５ａが形成される。保持突起３５ａもブランク板の幅方向中央部に形成されるため、後述のように、穴３１ａから突出する。
【００３８】
緩衝部材３０の組み立て方は、前述の実施形態と同様にブランク板の端部から順に折り返して構成する。本実施形態の脚部３２は断面が四角形状であるので、各折り目が直角になるように折る。ここで、接着剤Ｇを有する固定部３６のみは裏面３１Ｂ側ではなく、表面３１Ａ側に折る。これにより接着剤Ｇを裏面３１Ｂに当接させ、接着させる。
【００３９】
上述のように組み立てることで、図６に示す緩衝部材３０が構成される。図６は第１実施形態に係る緩衝機能内蔵容器の説明図であり、（ａ）が緩衝部材の分解斜視図、（ｂ）が緩衝機能内蔵容器の断面図である。
【００４０】
図６（ａ）に示すように、組み立てられた緩衝部材３０において、保持板３１に形成される穴３１ａから、保持突起３５ａが表面３１Ａ側に突出する。
【００４１】
図６（ｂ）に示すように、保持板３１は前述の実施形態の保持板と同様に、紙製で両端を脚部３２によって固定されているため、復元力による弾性を有する。このため、内容物Ａに対する緩衝性を発揮する。
【００４２】
また、脚部３２の内側で保持板３１の表面３１Ａ側に突出する保持突起３５ａが、内容物Ａの端部を保持する。緩衝部材３０は内容物Ａの上下に配置されるため、内容物Ａの両端部は、２つの保持突起３５ａにより上下から保持される。これにより、内容物Ａの横方向の移動を防止することができる。
【産業上の利用可能性】
【００４３】
本考案は、容器内部に緩衝機能を設けたさまざまな緩衝機能内蔵包装容器に利用可能である。
【符号の説明】
【００４４】
Ａ…内容物、
Ｃ…切込、
Ｄ…切込、
Ｇ…接着剤、
１…緩衝機能内蔵容器、
２…緩衝機能内蔵容器、
１０…外容器、
１１…容器本体、
１２…蓋部、
２０…緩衝部材、
２１…保持板、
２１Ａ…表面、
２１Ｂ…裏面、
２１ａ…固定片、
２１ｂ…係止穴、
２２…脚部、
２３…立上部、
２４…支持部、
２４ａ…係止突起、
２５…固定部、
２５ａ…係止突起、
３０…緩衝部材、
３１…保持板、
３１Ａ…表面、
３１Ｂ…裏面、
３１ａ…穴、
３２…脚部、
３３…外側立上部、
３４…底部、
３５…内側立上部、
３５ａ…保持突起、
３６…固定部、
【図１】
0003178037.tif 000003
【図２】
0003178037.tif 000004
【図３】
0003178037.tif 000005
【図４】
0003178037.tif 000006
【図５】
0003178037.tif 000007
【図６】
0003178037.tif 000008